(57)【要約】【課題】合成樹脂製のフレームが高温になっても金属製のカバーから合成樹脂製のフレームが盛り上がらない液晶表示装置を提供する。【解決手段】液晶セル１２と、バックライト１４と、４つの枠部材４８〜５４によって形成されたフレーム２６と、フレーム２６を収納する金属製のカバー１６と、フレーム２６の下面から突出した係合突部５６と、係合突部５６と係合するためにカバー１６の下面板６０に開口した係合孔６６と、カバー１６の側壁６２の上部から延設されフレーム２６の枠部材４８〜５４に係合する爪片６４とを有する。【選択図】      図４
2015148709.tif 000002
【特許請求の範囲】
【請求項１】
液晶セルと、
前記液晶セルの下面側に配されたバックライトと、
４つの枠部材によって額縁状に構成され、４つの前記枠部材によって前記バックライトを囲うフレームと、
下面板と４つの側壁とを少なくとも有し、前記フレームの下面と４つの前記枠部材の外周部を覆って前記フレームを収納するカバーと、
前記フレームの前記枠部材の下面から突出した係合突部と、
前記カバーの前記下面板に開口し、前記係合突部が係合する係合孔と、
前記カバーの前記側壁の上部から内側に向かって延設され、前記フレームの前記枠部材に係合する爪片と、
を有する液晶表示装置。
【請求項２】
前記爪片が、前記フレームの前記枠部材の上部を押さえるように係合する、
請求項１に記載の液晶表示装置。
【請求項３】
前記爪片が、前記フレームの前記枠部材の外周部に設けられた係合凹部に係合する、
請求項１に記載の液晶表示装置。
【請求項４】
前記係合突部が、１乃至３個の前記枠部材の前記下面に設けられている、
請求項１に記載の液晶表示装置。
【請求項５】
前記爪片が、前記カバーの１乃至３個の前記側壁に設けられている、
請求項１に記載の液晶表示装置。
【発明の詳細な説明】
【技術分野】
【０００１】
本発明は、液晶表示装置に関するものである。
【背景技術】
【０００２】
従来より、液晶表示装置は、合成樹脂製のフレームの内部にバックライトを収納し、このバックライトの上面に液晶セルを配して一体になし、この一体になったフレームと液晶セルとを金属製のカバーによって覆っている。このカバーとフレームとを固定するために、例えば、フレームの外周壁から外方に係合片を突出させ、カバーの外周壁に係合孔を設け、係合片を係合孔に係合することによりフレームとカバーを固定している。
【先行技術文献】
【特許文献】
【０００３】
【特許文献１】特開平８−３２７９８３号公報
【発明の概要】
【発明が解決しようとする課題】
【０００４】
最近、液晶表示装置の液晶セルの画面サイズが大型化が進むにつれ、バックライトやそれを収納したフレームなどの各部材も大型化してきている。
【０００５】
しかし、バックライトにあるＬＥＤなどの光源からの熱によって合成樹脂製のフレームが熱膨張し、熱膨張がほとんどない金属製のカバーからフレームが上方に盛り上がって液晶セルを上方に押し出し、液晶セルがバックライトから剥がれるという問題点があった。
【０００６】
そこで、本発明は上記問題点に鑑み、合成樹脂製のフレームが高温になっても金属製のカバーから合成樹脂製のフレームが盛り上がらない液晶表示装置を提供することを目的とする。
【課題を解決するための手段】
【０００７】
本発明の一態様は、液晶セルと、前記液晶セルの下面側に配されたバックライトと、４つの枠部材によって額縁状に構成され、４つの前記枠部材によって前記バックライトを囲うフレームと、下面板と４つの側壁とを少なくとも有し、前記フレームの下面と４つの前記枠部材の外周部を覆って前記フレームを収納するカバーと、前記フレームの前記枠部材の下面から突出した係合突部と、前記カバーの前記下面板に開口し、前記係合突部が係合する係合孔と、前記カバーの前記側壁の上部から内側に向かって延設され、前記フレームの前記枠部材に係合する爪片と、を有する液晶表示装置である。
【０００８】
また、他の態様は、前記爪片が、前記フレームの前記枠部材の上部を押さえるように係合してもよい。
【０００９】
また、他の態様は、前記爪片が、前記フレームの前記枠部材の外周部に設けられた係合凹部に係合していてもよい。
【００１０】
また、他の態様は、前記係合突部が、１乃至３個の前記枠部材の前記下面に設けられていてもよい。
【００１１】
また、他の態様は、前記爪片が、前記カバーの１乃至３個の前記側壁に設けられていてもよい。
【図面の簡単な説明】
【００１２】
【図１】実施形態１の液晶表示装置の分解斜視図である。
【図２】液晶表示装置の短辺側の縦断面図である。
【図３】液晶表示装置の長辺側の縦断面図である。
【図４】液晶表示装置の一部拡大縦断面図である。
【図５】液晶表示装置を上面から見た斜視図である。
【図６】液晶表示装置を下面から見た斜視図である。
【図７】実施形態２の液晶表示装置の一部拡大縦断面図である。
【図８】実施形態３の液晶表示装置の一部拡大縦断面図である。
【発明を実施するための形態】
【００１３】
以下、本発明の一実施形態の液晶表示装置１０ついて図面に基づいて説明する。
【００１４】
なお、実施形態における開示はあくまで一例に過ぎず、当業者において、発明の趣旨を保っての適宜変更について容易に想到し得るものについては、当然本発明の範囲に含有されるものである。また、図面は説明をより明確にするため、実際の対応に比べ、各部の幅、厚さ、形状などについて模式的に表される場合があるが、あくまでも一例であって、本発明の解釈を限定するものではない。
【００１５】
また、本明細書と各図において、既出の図に関して前述したものと同様の要素、同一の符号を付して、詳細な説明を適宜省略することがある。
【実施形態１】
【００１６】
実施形態１の液晶表示装置１０ついて図１〜図６に基づいて説明する。液晶表示装置１０は、携帯電話、タブレット端末などの情報機器や、カーナビゲーションに用いられるものであり、例えば７インチの表示面を有する。
【００１７】
（１）液晶表示装置１０の構成
液晶表示装置１０の構成について図１に基づいて説明する。図１は、液晶表示装置１０の分解斜視図である。液晶表示装置１０は、液晶セル１２、バックライト１４、金属製のカバー１６を有する。
【００１８】
液晶セル１２は、画素がマトリックス状に形成されたアレイ基板１８と、対向基板２０と、アレイ基板１８と対向基板２０との間に挟持された液晶素子を有する。アレイ基板１８の長辺は、対向基板２０の長辺よりも長く形成され棚部が設けられている。この棚部には、フレキシブルプリント基板２２が取り付けられている。対向基板２０の上面には偏光板２４が貼り付けられ、アレイ基板１８の下面にも偏光板２５が貼り付けられている。
【００１９】
バックライト１４は、導光板２８の上に拡散シート３０、プリズムシート３２、プリズムシート３４及び拡散シート３６が積層され、額縁状の合成樹脂よりなるフレーム２６に収納されている。また、導光板２８の下面には、反射シート３８が設けられている。フレーム２６の長手方向の一辺には、ＬＥＤ用フレキシブル基板４４が配され、このＬＥＤ用フレキシブル基板４４には、複数のＬＥＤ４６が取り付けられている。上記のような構成のバックライト１４と、液晶セル１２とが、金属製のカバー１６に収納されている。
【００２０】
（２）カバー１６とフレーム２６の構成
次に、フレーム２６とカバー１６の構成についてさらに詳しく説明する。
【００２１】
合成樹脂製のフレーム２６は、４個の棒状の枠部材４８，５０，５２，５４から構成され額縁状に形成されている。この４本の枠部材４８〜５４の中で、ＬＥＤ４６が配されている枠部材４８以外の３本の枠部材５０，５２，５４の下面には係合突部５６が所定間隔毎に下方に突出している。図４に示すように、フレーム２６の３本の枠部材５０，５２，５４の上端部の内側は段部５８が形成され、遮光両面テープ４２を用いて液晶セル１２の下面が段部５８に固定されている。また、反射シート３８は、フレーム２６の下面で、かつ、前記係合突部５６よりも内側に、遮光両面テープ４２によって固定されている。
【００２２】
金属製のカバー１６は、長方形の下面板６０の４辺から上方に向かって側壁６２がそれぞれ突出し、図５に示すように、この側壁６２の上端部において所定間隔毎に爪片６４が内側に向かって形成されている。図６に示すように、下面板６０の４辺の縁部には、所定間隔毎に係合孔６６が開口している。バックライト１４をカバー１６に収納すると、図４に示すように、フレーム２６の枠部材５０〜５４の下部から突出した係合突部５６が、カバー１６の下面板６０の係合孔６６に係合する。
【００２３】
（３）液晶表示装置１０の組み立て方法
次に、この液晶表示装置１０の組み立て方法について説明する。
【００２４】
第１に、４つの枠部材４８〜５４によって形成されているフレーム２６の下部に、遮光両面テープ４０を用いて反射シート３８を固定する。
【００２５】
第２に、フレーム２６の内部に導光板２８、拡散シート３０、プリズムシート３２、プリズムシート３４及び拡散シート３６を順番に収納すると共に、ＬＥＤ４６が取り付けられたＬＥＤ用フレキシブル基板４４を取り付けて、バックライト１４が完成する。
【００２６】
第３に、遮光両面テープ４２を用いて液晶セル１２をフレーム２６の上面の段部５８に固定する。
【００２７】
第４に、バックライト１４をカバー１６に収納して、フレーム２６の枠部材５０〜５４の下部から突出した係合突部５６を、カバー１６の下面板６０の係合孔６６に係合する。
【００２８】
第５に、カバー１６の３つの側壁６２に設けられている複数の爪片６４を内側に折り曲げてフレーム２６の上端部を押さえる状態にして、カバー１６とバックライト１４とを固定する。
【００２９】
第６に、液晶セル１２から突出しているフレキシブルプリント基板２２を、図３に示すようにカバー１６の裏面に折り返す。以上で液晶表示装置１０が完成する。
【００３０】
（４）効果
上記実施形態の液晶表示装置１０であると、図２と図３に示すように、バックライト１４を構成するフレーム２６は、カバー１６に収納されている。この状態でＬＥＤ４６からの熱によって合成樹脂製のフレーム２６が高温になって熱膨張しようとしても、左右方向には係合突部５６が係合孔６６に係合しているため移動できず、また、フレーム２６の枠部材５０〜５４の上端部は、金属製のカバーから突出した爪片６４によって押さえられているため膨れ上がることができず、液晶セル１２がバックライト１４から外れない。
【実施形態２】
【００３１】
次に、実施形態２の液晶表示装置１０について図７に基づいて説明する。
【００３２】
実施形態１では、フレーム２６の枠部材５０〜５４の上端部が、液晶セル１２の外方に位置していたが、本実施形態では図７に示すようにフレーム２６の枠部材５０〜５４の高さを、液晶セル１２よりも低くし、フレーム２６の枠部材５０〜５４の上端部に液晶セル１２を支持する。このフレーム２６の上端部の外側に所定間隔毎に段部６８を設け、金属製のカバー１６の爪片６４をこの段部６８に係合させる。
【００３３】
本実施形態であっても、フレーム２６が熱で上方に膨らもうとしても、段部６８に爪片６４が係合しているため上方に膨らむことがなく、液晶セル１２を押し上げることがない。
【実施形態３】
【００３４】
次に、実施形態３の液晶表示装置１０について図８に基づいて説明する。
【００３５】
本実施形態では、フレーム２６の枠部材５０〜５４の外周部に所定間隔毎に係合凹部７０が設けられ、この係合凹部７０にカバー１６の爪片６４を係合させる。
【００３６】
本実施形態であっても、フレーム２６が熱で上方に膨らもうとしても、係合凹部７０に爪片６４が係合しているため上方に膨らむことなく、液晶セル１２を押し上げることがない。
【変更例】
【００３７】
上記各実施形態では、係合突部５６をフレーム２６における３個の枠部材５０，５２，５４の下面にそれぞれ設けたが、これに代えて相対向する枠部材５０，５４の下面にだけに設けてもよく、また、１個の枠部材の下面にのみだけ設けてもよい。
【００３８】
また、カバー１６の側壁６２に設けた爪片６４は、３個の側壁６２に設けたが、これに代えて相対向する側壁６２又は１個の側壁６２にのみ設けてもよい。
【００３９】
また、本発明の実施形態を基にして、当業者が適宜設計変更して実施し得る全ての実施形態も、本発明の要旨を包含する限り、本発明の範囲に属する。
【００４０】
また、本発明の思想の範疇において、当業者であれば、各種の変更例及び修正例に想到し得るものであり、それら変更例及び修正例についても本発明の範囲に属するものと了解される。例えば、上記実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【００４１】
また、本実施形態において述べた対応によりもたらされる他の作用効果について本明細書記載から明らかなもの、又は、当業者において時に想到し得るものについては、当然に発明によりもたらされるものと解される。
【符号の説明】
【００４２】
１０・・・液晶表示装置、１２・・・液晶セル、１４・・・バックライト、１６・・・カバー、４８・・・枠部材、５０・・・枠部材、５２・・・枠部材、５４・・・枠部材、５６・・・係合突部、５８・・・段部、６０・・・下面板、６２・・・側壁、６４・・・爪片、６６・・・係合孔
【図１】
2015148709.tif 000003
【図２】
2015148709.tif 000004
【図３】
2015148709.tif 000005
【図４】
2015148709.tif 000006
【図５】
2015148709.tif 000007
【図６】
2015148709.tif 000008
【図７】
2015148709.tif 000009
【図８】
2015148709.tif 000010